【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
熱可塑性材用の熱的および気圧的に制御された供給システムを用いて成形および反応性重合化を行なうためのシステムであって、
熱的におよび気圧的に調整された成分をストリームで運ぶ供給ユニットと、
混合処理において重合化を行なうために、前記供給ユニットからの前記ストリームの前記成分を混合および熱的に制御する混合ユニットと、
前記混合ユニットからの前記ストリームを加圧する加圧ユニットと、
前記加圧ユニットからの加圧された前記ストリームをフィルタ処理するフィルタリングユニットと、
前記フィルタリングユニットからのフィルタストリームを混合する第２の混合ユニットと、
前記第２の混合ユニットからの前記ストリームを加圧する第２の加圧ユニットと、
前記第２の加圧ユニットからの加圧された前記ストリームをフィルタ処理する第２のフィルタリングユニットと、
前記第２のフィルタリングユニットからのフィルタ処理された前記ストリームをペレット化するペレット化ユニットとを備える、システム。
【請求項２】
熱可塑性材用の熱的および気圧的に制御された供給システムを用いて成形および反応性重合化を行なうためのシステムであって、
熱的におよび気圧的に調整された成分をストリームで運ぶ供給ユニットを備え、前記供給ユニットは、
前記ストリームを調整するための少なくとも２つの貯留タンク、
前記供給ユニットを通る前記ストリームを規制および測定するための不活性ガスおよび真空アセンブリ、
回動可能アーム上に位置付けられる混合ヘッド、
供給ユニット搬送ラインおよび反応性ストリームの少なくとも前記混合ヘッドを洗浄する洗浄システム、および
各貯留タンク用の独立したストリーム温度制御、
混合処理において重合化を行なうために、前記供給ユニットからの前記ストリームの前記成分を混合および熱的に制御する混合ユニットを含み、前記混合ユニットはスロートを有する押出機をさらに含み、前記ストリームは前記供給ユニットの前記混合ヘッドから前記混合ユニットの前記押出機の前記スロートに流れ、さらに、
前記供給ユニットから出力され、前記混合ユニットに入る前記ストリームの適切な位置付けを確実にする位置付けシステムを含み、前記位置付けシステムは、前記ストリームを前記供給ユニットから前記混合ユニットに運ぶときに、前記混合ヘッドが前記押出機の前記スロート上に確実に位置付けられるよう、前記混合ヘッドに近接するセンサを含み、さらに、
前記混合ユニットからの前記ストリームを加圧する加圧ユニット、
前記加圧ユニットからの加圧された前記ストリームをフィルタ処理するフィルタリングユニットを含み、前記フィルタリングユニットは少なくとも２つのフィルタを含み、第１のフィルタは前記加圧されたストリームをフィルタ処理するためのオンラインフィルタであり、第２のフィルタは前記第１のフィルタをオフラインにする場合に使用される待機フィルタであり、前記加圧されたストリームはフィルタ処理のために前記第１のフィルタに方向付けられ、前記第１のフィルタを処理システムから外す必要がある場合に、前記加圧されたストリームはフィルタ処理のために前記第２のフィルタを通って運ばれることができ、前記第２のフィルタは待機の際、温度が制御され、前記第２のフィルタは前記第１のフィルタとすぐに代用されるための動作特性を有し、前記第１のフィルタが外されると前記オンラインフィルタとなり、さらに
フィルタ処理された前記ストリームをペレット化するペレット化ユニット、および
ペレット化された前記ストリームのペレットを乾燥させる乾燥ユニットを含む、システム。
【請求項３】
処理システムであって、
熱的におよび気圧的に調整された成分をストリームで運ぶ供給ユニットを備え、前記供給ユニットは、前記ストリームを調整するために１つ以上の貯留タンクを含み、前記１つ以上の貯留タンクの少なくとも１つは、ストリームレベル制御を含み、前記ストリームレベル制御は、不活性ガスおよび真空アセンブリを含み、さらに、
混合処理において重合化を行なうために、前記ストリームの前記成分を混合する混合ユニットと、
混合された前記ストリームをペレット化するペレット化ユニットとを備える、処理システム。
【請求項４】
前記１つ以上の貯留タンクの少なくとも１つは、前記ストリームが流れる穿孔された角度のついた流体規制装置を含み、前記穿孔された角度のついた流体規制装置は前記１つ以上の貯留タンクの前記少なくとも１つの貯留タンクの底面の方向にテーパ状に減少し、前記穿孔された角度のついた流体規制装置の穿孔は、過剰なストリームが前記穿孔された角度のついた流体規制装置から排出されるよう位置付けられ、傾斜度穿孔された角度のついた流体規制装置は入来ストリームのある程度の集積を可能にしつつ、前記ストリームの流れをテーパ状に、前記１つ以上の貯留タンクの少なくとも１つの貯留タンクの壁に沿って流体膜として方向付ける、請求項３に記載の処理システム。
【請求項５】
前記１つ以上の貯留タンクの少なくとも１つは、ストリーム温度制御を含む、請求項３に記載の処理システム。
【請求項６】
前記ストリーム温度制御は、前記貯留タンク全体の均一な温度を達成するために、前記貯留タンクにおける前記ストリームの十分な運動を保持するかき混ぜシステムを含む、請求項５に記載の処理システム。
【請求項７】
前記ストリーム温度制御は、ストリーム温度を監視するための複数の熱電対を含む、請求項５に記載の処理システム。
【請求項８】
前記ストリーム温度制御は、前記貯留タンク近くの熱ストリームを循環させる循環システムを含む、請求項５に記載の処理システム。
【請求項９】
前記ストリーム温度制御はさらに偏向システムを含み、前記循環システムはブロワーを含み、前記熱ストリームは前記ブロワーからの加熱空気であり、前記偏向システムは複数のバフルを含む、請求項８に記載の処理システム。
【請求項１０】
前記混合ユニットからの混合ストリームを受入れ、前記混合ストリームを加圧する加圧ユニットをさらに備える、請求項３に記載の処理システム。
【請求項１１】
前記加圧ユニットからの加圧された前記混合ストリームを受入れ、前記加圧された混合ストリームをフィルタ処理するフィルタユニットをさらに備える、請求項１０に記載の処理システム。
【請求項１２】
反応性処理システムであって、
熱的におよび気圧的に調整された反応性成分を反応性ストリームで運ぶ供給ユニットを備え、前記供給ユニットは、
前記反応性ストリームを調整するための少なくとも２つの貯留タンクと、
前記供給ユニットを通る前記反応性ストリームを規制および測定するための不活性ガスおよび真空アセンブリと、
回動可能アーム上に位置付けられる混合ヘッドと、
供給ユニット搬送ラインおよび前記反応性ストリームの少なくとも前記混合ヘッドを洗浄する洗浄システムと、
各貯留タンク用に独立した反応性ストリーム温度制御とを含み、さらに、
反応性混合処理において重合化を行なうために、前記反応性ストリームの前記反応性成分を混合する混合ユニットと、
混合された前記反応性ストリームをペレット化するペレット化ユニットとを備える、反応性処理システム。
【請求項１３】
処理システムであって、
熱的におよび気圧的に調整された成分をストリームで運ぶ供給ユニットを備え、前記供給ユニットは混合ヘッドをさらに含み、さらに、
混合処理において重合化を行なうために、前記ストリームの前記成分を混合する混合ユニットを備え、前記混合ユニットはスロートを有する押出機をさらに含み、前記ストリームは、前記供給ユニットの前記混合ヘッドから前記混合ユニットの前記押出機の前記スロートに流れ、さらに、
前記供給ユニットから出て前記混合ユニットに入る前記ストリームの正しい位置付けを確実にする位置付けシステムを備え、前記位置付けシステムは、前記ストリームを前記供給ユニットから前記混合ユニットに運ぶときに、前記混合ヘッドが前記押出機の前記スロート上に確実に位置付けられるよう、前記混合ヘッドに近接するセンサを含み、さらに、
混合された前記ストリームをペレット化するペレット化ユニットとを備える、処理システム。
【請求項１４】
前記センサは前記混合ヘッド上の位置センサである、請求項１３に記載の処理システム。
【請求項１５】
前記センサはリミットスイッチである、請求項１３に記載の処理システム。
【請求項１６】
処理システムであって、
熱的におよび気圧的に調整された成分をストリームで運ぶ供給ユニットを備え、前記供給ユニットは混合ヘッドをさらに含み、さらに、
混合処理において重合化を行なうために、前記ストリームの前記成分を混合する混合ユニットを備え、前記混合ユニットはスロートを有する押出機をさらに含み、さらに、
前記混合ユニットの前記押出機の前記スロートに取付けられたオーバーフローシュラウドを備え、前記ストリームは、前記供給ユニットの前記混合ヘッドから前記オーバーフローシュラウドに、その後前記混合ユニットの前記押出機の前記スロートに流れ、さらに、
混合された前記ストリームをペレット化するペレット化ユニットを備える、処理システム。
【請求項１７】
前記混合ヘッドは回動可能アーム上に位置付けられる、請求項１６に記載の処理システム。
【請求項１８】
前記処理システムは、前記供給ユニットから出て前記混合ユニットに入る前記ストリームの正しい位置付けを確実にする位置付けシステムをさらに備え、
前記位置付けシステムは、前記ストリームを前記供給ユニットから前記混合ユニットに運ぶときに、前記オーバフローシュラウド上の前記混合ヘッドの位置を確実にするために、前記混合ヘッドに近接するセンサを含み、前記混合ヘッドは前記回動可能アームを介して正しい位置に移動可能である、請求項１７に記載の処理システム。
【請求項１９】
処理システムであって、
熱的におよび気圧的に調整された成分をストリームで運ぶ供給ユニットを備え、前記供給ユニットは、前記ストリームを調整するための１つ以上の貯留タンクを含み、前記１つ以上の貯留タンクの少なくとも１つは、ストリーム温度制御を含み、前記ストリーム温度制御は、前記貯留タンク近くの熱ストリームを循環させる循環システムを含み、さらに、
混合処理において重合化を行なうために、前記ストリームの前記成分を混合する混合ユニットと、
混合された前記ストリームをペレット化するペレット化ユニットとを備える、処理システム。
【請求項２０】
ペレット化された前記ストリームのペレットを乾燥させる乾燥ユニットをさらに備える、請求項１９に記載のシステム。
【請求項２１】
ペレット化された前記ストリームのペレットを結晶化するペレット結晶化ユニットをさらに備える、請求項１９に記載のシステム。
【請求項２２】
前記１つ以上の貯留タンクの少なくとも１つは、前記ストリームが流れる穿孔された角度のついた流体規制装置を含み、前記穿孔された角度のついた流体規制装置は、前記１つ以上の貯留タンクの前記少なくとも１つの貯留タンクの底面への方向に先細りとなり、前記穿孔された角度のついた流体規制装置の穿孔は、過剰なストリームが前記穿孔された角度のついた規制装置から排出されるよう位置付けられており、傾斜度穿孔された角度のついた規制装置は入来ストリームがある程度集積されるのを可能にしつつ、前記ストリームの流れをテーパ状に、前記１つ以上の貯留タンクの少なくとも１つの貯留タンクの壁に沿って流体膜に方向付ける、請求項１９に記載の処理システム。
【請求項２３】
前記１つ以上の貯留タンクの少なくとも１つは、ストリームレベル制御を含む、請求項１９に記載の処理システム。
【請求項２４】
前記ストリームレベル制御は、不活性ガスおよび真空アセンブリを含む、請求項２３に記載の処理システム。
【請求項２５】
前記不活性ガスおよび真空アセンブリは、ある化学成分ストリーム貯留槽の液体および蒸気を別の貯留槽から遠ざけるように設計される、請求項２４に記載の処理システム。
【請求項２６】
オペレータによるチェックを可能にするための分離ボトルをさらに備える、請求項２４に記載の処理システム。
【請求項２７】
前記不活性ガスおよび真空アセンブリはコンピュータで制御される、請求項２４に記載の処理システム。
【請求項２８】
前記ストリーム温度制御は、前記貯留タンク全体の均一な温度および組成を達成するために、前記貯留タンクにおける前記ストリームの十分な動きを保持するシステムを含む、請求項１９に記載の処理システム。
【請求項２９】
前記ストリーム温度制御は、ストリーム温度を監視するための複数の熱電対を含む、請求項１９に記載の処理システム。
【請求項３０】
前記ストリーム温度制御はさらに偏向システムを含み、前記循環システムはブロワーを含み、前記熱ストリームは前記ブロワーからの加熱空気であり、前記偏向システムは複数のバフルを含む、請求項１９に記載の処理システム。
【請求項３１】
前記混合ユニットからの混合ストリームを受入れ、前記混合ストリームを加圧する加圧ユニットをさらに備える、請求項１９に記載の処理システム。
【請求項３２】
前記加圧ユニットからの加圧された前記混合ストリームを受入れ、前記加圧された混合ストリームをフィルタ処理するフィルタユニットをさらに備える、請求項３１に記載の処理システム。
【請求項３３】
供給タンクおよび約２５ミクロンフィルタ装置への接続を含む補充システムをさらに備える、請求項１９に記載の処理システム。
【請求項３４】
前記１つ以上の貯留タンクは、必要に応じて使用および補充を決定するためのロードセルを利用する、請求項１９に記載の処理システム。
【請求項３５】
前記供給ユニットは混合ヘッドをさらに備える、請求項１９に記載の処理システム。
【請求項３６】
前記混合ヘッドは回動可能なアーム上に位置付けられる、請求項３５に記載の処理システム。
【請求項３７】
前記供給ユニットは、供給ユニット搬送ラインおよび反応性ストリームの少なくとも前記混合ヘッドを洗浄する洗浄システムをさらに備える、請求項３５に記載の処理システム。
【請求項３８】
前記供給ユニットは、前記供給ユニットから出力され前記混合ユニットに入るストリームを運ぶために、前記混合ヘッドに近接しかつ前記混合ユニットの入口上にあるセンサを有する位置付けシステムをさらに備える、請求項３５に記載の処理システム。
【請求項３９】
前記センサは位置センサである、請求項３８に記載の処理システム。
【請求項４０】
前記混合ヘッドは、湿度および酸化を前記ストリームに導入することを防ぐために、ストリーム出力フローにおいて不活性ガス出口を備える、請求項３５に記載の処理システム。
【請求項４１】
前記混合ヘッドは、反応性ストリーム成分を洗い流す二重フラッシュ機能を有する、請求項３５に記載の処理システム。
【請求項４２】
前記混合ヘッドはオーバフローシュラウドを含む、請求項１９に記載の処理システム。
【請求項４３】
前記供給ユニットは１つのオーブン内に含まれる、請求項１９に記載の処理システム。
【請求項４４】
前記オーブン内の空気流は、前記オーブンの頂部から前記オーブンの底部に循環する、請求項４３に記載の処理システム。
【請求項４５】
前記オーブンは複数の内部仕切りを含む、請求項４３に記載の処理システム。
【請求項４６】
ポンプおよびポンプ駆動ユニットは、前記供給ユニットのベース上の加工されたパッド上に取付けられる、請求項１９に記載の処理システム。
【請求項４７】
前記ポンプは、可撓性のジョイントを有するシャフトによって駆動される磁気的駆動を利用する、請求項４６に記載の処理システム。
【請求項４８】
前記ポンプ内のアンプ負荷を監視し、前記ポンプが誤作動するとシステムを停止し、アラームを送って前記誤作動についてオペレータに警告する制御システムをさらに備える、請求項４６に記載の処理システム。
【請求項４９】
制御システムにおいて熱を吸収する安全措置をさらに備える、請求項１９に記載の処理システム。
【請求項５０】
前記制御システムは、熱を吸収する安全措置が無視されたかどうかを示すデータ記録ファイルをさらに含む、請求項４９に記載の処理システム。
【請求項５１】
制御プログラムは、システムの各貯留槽のかき混ぜ機のアンプ負荷測定を行う、請求項１９に記載の処理システム。
【請求項５２】
ライン圧力は、ポンプ吸引、ポンプ放出、および混合ヘッドの場所において監視される、請求項１９に記載の処理システム。
【請求項５３】
前記ストリームをフィルタ処理するフィルタリングユニットをさらに備え、前記フィルタリングユニットは少なくとも２つのフィルタを含み、第１のフィルタは前記ストリームをフィルタ処理するためのオンラインフィルタであり、第２のフィルタは前記第１のフィルタをオフラインにする場合に使用される待機フィルタであり、前記ストリームはフィルタ処理のために前記第１のフィルタに方向付けられ、前記第１のフィルタを前記処理システムから外す必要がある場合に、前記ストリームはフィルタ処理のために前記第２のフィルタを通って運ばれる、請求項１９に記載の処理システム。
【請求項５４】
前記第２のフィルタは待機の際、温度が制御され、前記第２のフィルタは前記第１のフィルタとすぐに代用されるための動作特性を有し、前記第１のフィルタが外されると前記オンラインフィルタとなる、請求項５３に記載の処理システム。